(57)【要約】【課題】  本発明は、容器の凹凸部に沿って熱収縮性筒状ラベルの一部分を変形させて、熱収縮性筒状ラベルが装着された状態で容器の凹凸部の形状を現すことができるラベル付き容器を提供する。【解決手段】  凹凸部４が形成された容器２と、凹凸部４を含む容器胴部２３に熱収縮装着された熱収縮性筒状ラベル３と、を備え、熱収縮性筒状ラベル３が、熱収縮温度で周方向に収縮する熱収縮性シート５１と該熱収縮性シート５１の少なくとも一側に連設された前記熱収縮温度で実質的に収縮しない非収縮性シート５２とを有する基材５を、筒状に形成した筒状体で構成され、前記熱収縮性筒状ラベル３の非収縮性シート５２が、容器２の凹凸部４に対応して装着されている共に、非収縮性シート５２が、容器２の凹凸部４の形状に沿った凹凸状に成形されているラベル付き容器。【選択図】  図２
2008213863.tif 000002
【特許請求の範囲】
【請求項１】
凹凸部が形成された容器と、凹凸部を含む容器部分に熱収縮装着された熱収縮性筒状ラベルと、を備え、
熱収縮性筒状ラベルが、熱収縮温度で周方向に収縮する熱収縮性シートと該熱収縮性シートの少なくとも一側に連設された前記熱収縮温度で実質的に収縮しない非収縮性シートとを有する基材を、筒状に形成した筒状体で構成され、
前記熱収縮性筒状ラベルの非収縮性シートが、容器の凹凸部に対応して装着されていると共に、非収縮性シートが、容器の凹凸部の形状に沿った凹凸状に成形されていることを特徴とするラベル付き容器。
【請求項２】
（１Ａ）熱収縮温度で収縮する熱収縮性シートと該熱収縮性シートの少なくとも一側に連設された前記熱収縮温度で実質的に収縮しない非収縮性シートとを有する長尺基材を筒状に形成した長尺筒状体を、所定長さに切断して１個の熱収縮性筒状ラベルを得る工程、
（１Ｂ）装着する容器の凹凸部の形状に合った成形型を用い、前記熱収縮性筒状ラベルの非収縮性シートを加熱しつつ、これを凹凸状に成形する工程、
（１Ｃ）前記非収縮性シートの凹凸成形部を容器の凹凸部に位置させて、熱収縮性筒状ラベルを容器に外嵌し、該ラベルを熱収縮温度に加熱する工程、
を有するラベル付き容器の製造方法。
【請求項３】
（２Ａ）装着する容器の凹凸部の形状に合った成形型を用いて、熱収縮温度で収縮する熱収縮性シートと該熱収縮性シートの少なくとも一側に連設された前記熱収縮温度で実質的に収縮しない非収縮性シートとを有する長尺基材を筒状に形成した長尺筒状体の該非収縮性シートを加熱しつつ、これを凹凸状に成形する工程、
（２Ｂ）この長尺筒状体を、所定長さに切断して１個の熱収縮性筒状ラベルを得る工程、
（２Ｃ）前記非収縮性シートの凹凸成形部を容器の凹凸部に位置させて、前記熱収縮性筒状ラベルを容器に外嵌し、該ラベルを熱収縮温度に加熱する工程、
を有するラベル付き容器の製造方法。
【請求項４】
（３Ａ）熱収縮温度で収縮する熱収縮性シートと該熱収縮性シートの少なくとも一側に連設された前記熱収縮温度で実質的に収縮しない非収縮性シートとを有する長尺基材を筒状に形成した長尺筒状体を、所定長さに切断して１個の熱収縮性筒状ラベルを得る工程、
（３Ｂ）前記熱収縮性筒状ラベルを、その非収縮性シートが容器の凹凸部に対面するように外嵌した後、該ラベルを熱収縮温度に加熱する工程、
（３Ｃ）容器の凹凸部の形状に合った成形型を用いて、前記装着後の非収縮性シートを加熱しつつ、このシートの外面から成形型を押圧する工程、
を有するラベル付き容器の製造方法。
【発明の詳細な説明】
【技術分野】
【０００１】
本発明は、凹凸部を有する容器に熱収縮性筒状ラベルが装着されたラベル付き容器、及びその製造方法に関する。
【背景技術】
【０００２】
従来、飲料容器、食品容器、化粧品容器などの様々な容器に、熱収縮性シートを筒状に形成した熱収縮性筒状ラベル（筒状シュリンク、シュリンクフィルムなどとも呼ばれる）が装着されている。
かかる熱収縮性筒状ラベルは、所定温度に加熱することによって熱収縮し、容器に装着することができる。
【０００３】
ところで、熱収縮性筒状ラベルが装着される容器は、様々な形状のものが存在する。一般的には、筒状の胴部と、胴部の上方に連続して次第に小径に形成された肩部と、肩部の上方に設けられた注出部と、を有するボトル型容器（例えば、飲料用のＰＥＴボトルなど）が周知である。
また、凹凸部が形成された容器も周知であり、該容器としては、例えば、周方向の一部分が内側に凹んだ凹み部の形成された容器が多用されている。
このような凹み部は、容器の強度向上、容器のデザイン性の目的の他、該凹み部に指を掛けて容器を持ち易くするための様々な目的のために形成されている。このような持ち易くするために凹み部が設計された容器は、比較的非力な使用者などを含め多くの使用者にとって使いやすく、ユニバーサルデザイン容器とも言われる。
【０００４】
しかしながら、かかる凹み部を有する容器に熱収縮性筒状ラベルを外嵌して加熱すると、熱収縮性筒状ラベルが凹み部の外面形状に沿わず、容器の凹み部の形状が熱収縮性筒状ラベルで覆われるという問題点がある。
具体的には、図１３に示すように、凹み部４００は、容器２００の周方向の一部分を内側に凹ませることにより形成されているので、凹み部４００の周方向両端部に、容器の外形線が内側へ向きを変える変曲点４０１が存在する。熱収縮性筒状ラベル３００は、その性質上、熱収縮時、装着される容器の最外側の点又は面に密着しながら収縮するので、凹み部４００の周方向両端部の両変曲点４０１，４０１間に於いて平坦状となって装着される。このように、容器２００の凹み部４００に対応する熱収縮性筒状ラベル３００の一部分が平坦状となって装着されることから、得られるラベル付き容器１００は、熱収縮性筒状ラベル３００を介して容器２００の凹み部４００の凹み形状が現れない。
【発明の開示】
【発明が解決しようとする課題】
【０００５】
一方、熱収縮性筒状ラベルを介して容器の凹み部の形状を現す方法として、熱収縮性筒状ラベルを熱収縮温度に加熱して熱収縮させた直後、これが余熱によって暖かいうちに、容器の凹み部に対応する熱収縮性筒状ラベルの外面から治具を押圧し、該ラベルの一部分を凹み部側へ押しつけて型付けする方法が考えられる。
この方法は、容器の凹み部が比較的浅く且つ凹み傾斜角が緩やかな場合には、有効な方法である。
【０００６】
しかしながら、熱収縮性筒状ラベルは、装着後、熱収縮性シートが周方向に略均等に熱収縮しているため、その一部分のみを凹み部の形状に沿って部分変形させることには限界がある。従って、容器の凹み部が比較的深く且つ凹み傾斜角が急峻な場合、上記の方法では、該凹み部に沿って熱収縮性筒状ラベルの一部分を凹ませることは困難である。さらに、熱収縮性筒状ラベルは、周方向に大きく熱収縮しうる熱収縮性シートが用いられているので、上記のように熱収縮後に凹み部へ押しつけて型付けしても、時間の経過に従い、元の形状に戻り易い（つまり、筒状ラベルに形成した凹みが消失し、容器の凹み部に対応した部分が平坦状になる）。このため、他の有効な手段が求められる。
【０００７】
そこで、本発明は、容器の凹凸部に沿って熱収縮性筒状ラベルの一部分を確実に変形させて、熱収縮性筒状ラベルが装着された状態で容器の凹凸部の形状を現すことができるラベル付き容器、及び該ラベル付き容器の製造方法を提供することを課題とする。
【課題を解決するための手段】
【０００８】
上記問題点に鑑みて、本発明の第１の手段は、凹凸部が形成された容器と、凹凸部を含む容器部分に熱収縮装着された熱収縮性筒状ラベルと、を備え、熱収縮性筒状ラベルが、熱収縮温度で周方向に収縮する熱収縮性シートと該熱収縮性シートの少なくとも一側に連設された前記熱収縮温度で実質的に収縮しない非収縮性シートとを有する基材を、筒状に形成した筒状体で構成され、前記熱収縮性筒状ラベルの非収縮性シートが、容器の凹凸部に対応して装着されていると共に、非収縮性シートが、容器の凹凸部の形状に沿った凹凸状に成形されていることを特徴とするラベル付き容器を提供する。
【０００９】
かかる熱収縮性筒状ラベルは、容器の凹凸部の形状に沿った凹凸状に成形された非収縮性シートが、容器の凹凸部に対応して装着されているので、上記ラベル付き容器は、熱収縮性筒状ラベルが装着された状態で、容器の凹凸部の形状が現れる。
上記非収縮性シートは、熱収縮温度で実質的に熱収縮せず、且つ成形によって凹凸状に形成できるので、比較的深い凹凸部の形状に沿わせることができる上、その形状が経時的に変化し難い。
【００１０】
また、本発明の第２の手段は、熱収縮温度で収縮する熱収縮性シートと該熱収縮性シートの少なくとも一側に連設された前記熱収縮温度で実質的に収縮しない非収縮性シートとを有する長尺基材を筒状に形成した長尺筒状体を、所定長さに切断して１個の熱収縮性筒状ラベルを得る工程（１Ａ）、装着する容器の凹凸部の形状に合った成形型を用い、前記熱収縮性筒状ラベルの非収縮性シートを加熱しつつ、これを凹凸状に成形する工程（１Ｂ）、前記非収縮性シートの凹凸成形部を容器の凹凸部に位置させて、熱収縮性筒状ラベルを容器に外嵌し、該ラベルを熱収縮温度に加熱する工程（１Ｃ）、を有するラベル付き容器の製造方法を提供する。
【００１１】
さらに、本発明の第３の手段は、装着する容器の凹凸部の形状に合った成形型を用いて、熱収縮温度で収縮する熱収縮性シートと該熱収縮性シートの少なくとも一側に連設された前記熱収縮温度で実質的に収縮しない非収縮性シートとを有する長尺基材を筒状に形成した長尺筒状体の非収縮性シートを加熱しつつ、これを凹凸状に成形する工程（２Ａ）、この長尺筒状体を、所定長さに切断して１個の熱収縮性筒状ラベルを得る工程（２Ｂ）、前記非収縮性シートの凹凸成形部を容器の凹凸部に位置させて、前記熱収縮性筒状ラベルを容器に外嵌し、該ラベルを熱収縮温度に加熱する工程（２Ｃ）、を有するラベル付き容器の製造方法を提供する。
【００１２】
また、本発明の第４の手段は、熱収縮温度で収縮する熱収縮性シートと該熱収縮性シートの少なくとも一側に連設された前記熱収縮温度で実質的に収縮しない非収縮性シートとを有する長尺基材を筒状に形成した長尺筒状体を、所定長さに切断して１個の熱収縮性筒状ラベルを得る工程（３Ａ）、前記熱収縮性筒状ラベルを、その非収縮性シートが容器の凹凸部に対面するように外嵌した後、該ラベルを熱収縮温度に加熱する工程（３Ｂ）、容器の凹凸部の形状に合った成形型を用いて、前記装着後の非収縮性シートを加熱しつつ、このシートの外面から成形型を押圧する工程（３Ｃ）、を有するラベル付き容器の製造方法を提供する。
【発明の効果】
【００１３】
本発明に係るラベル付き容器及びその製造方法によれば、非収縮性シートを有する熱収縮性筒状ラベルが用いられ、この非収縮性シートを成形によって凹凸状に形成しているので、その形状が経時的に変化しにくい。
従って、熱収縮性筒状ラベルを介して容器の凹凸部の形状が確実に現れるラベル付き容器を提供することができる。
【発明を実施するための最良の形態】
【００１４】
以下、本発明について、図面を参照しつつ具体的に説明する。
＜ラベル付き容器の構成例＞
図１及び図２に於いて、１は、凹凸状に形成された凹凸部４を有する容器２と、該容器２に熱収縮装着された熱収縮性筒状ラベル３と、を備えるラベル付き容器を示す。
該ラベル付き容器１は、熱収縮性筒状ラベル３が容器２の凹凸部４を含んで熱収縮装着されており、熱収縮性筒状ラベル３は、容器２の胴部２３に外嵌され、その一部分が容器２の凹凸部４の凹凸形状に沿った状態で装着されている。
なお、容器２の凹凸部４は、容器２の内側へ凹んだ凹み部又は外側へ突出した凸部の少なくとも何れか一方が形成されている部分である。
【００１５】
具体的には、容器２は、図３に示すように、底面部２１と、この上方に続くコーナ部２２と、このコーナ部２２に続く略四角筒状の胴部２３と、この胴部２３から次第に細くなる肩部２４とが形成されている。この容器２の胴部２３の平坦面の一部分に、凹凸部４が形成されている。この凹凸部４は、容器の胴部２３の正面及び背面の対称位置にそれぞれ１箇所ずつ形成されている。
この凹凸部４は、容器２の胴部２３の水平断面に於いて、容器２の外形線が内側へ向きを変える一対の変曲点４１，４１が周方向に所定間隔を開けて存在し、該変曲点４１，４１から略９０度の凹み傾斜角を有して内側へ凹んだ凹み部４ａと、該凹み部４ａの中央部に於いて外側へ膨らんだ凸部４ｂと、から構成されている。
尚、容器２の凹凸部４の形状は、図３に示すものに限られず、例えば、図４（ａ）に示すように、凸部を有しない凹み部４ａのみが形成されたもの、同図（ａ）に示すように、凹み部４ａの凹み傾斜角が鈍角状に形成されているもの、同図（ｂ）に示すように、凹み部４ａが内側へ２段に凹んでいるものなどでもよい。
【００１６】
容器２の材質は特に限定されず、例えば、ポリエチレンテレフタレートなどのポリエステル系、ポリエチレン系、ポリプロピレン系などの熱可塑性樹脂、金属、ガラス、陶器など、従来公知の材質のものを用いることができる。また、胴部２３の形状は、略四角筒状に限られず、略六角筒状、円筒状、楕円筒状などでもよい。
また、容器２に充填される充填物は、特に限定されず、飲料、食品、シャンプー、化粧品、洗剤などの液体、粉体など任意である。
【００１７】
次に、上記ラベル付き容器１に用いられる熱収縮性筒状ラベル３は、図５に示すように、熱収縮性シート５１と非収縮性シート５２を有するラベル基材５を筒状に形成した筒状体から構成されている。
基材５は、図６に示すように、熱収縮温度で熱収縮する熱収縮性シート５１と、熱収縮温度で実質的に熱収縮しない非収縮性シート５２と、が連設されたシート片から構成されている。
具体的には、基材５は、３枚の所定幅の熱収縮性シート５１の間に、所定幅（少なくとも凹凸部４を覆うことができる幅）の非収縮性シート５２が連設されている。各シート５１，５２は、隣り合う側部を重ね合わせ、その重ね合わせ部分を接合することにより、１枚の基材５とされている。
各シート５１，５２の接合方法は、特に限定されず、公知の接着剤を用いて接着されている。また、熱収縮性シート５１と非収縮性シート５２が溶剤接着可能な材質からなる場合には、溶剤を用いて接着してもよいし、両シート５１，５２が熱シール可能な材質からなる場合には、熱シールにて接着してもよい。
【００１８】
熱収縮性筒状ラベル３は、上記基材５を筒状にしてその両側端部（本実施形態の基材５は、両側に熱収縮性シート５１，５１が配置されているので、該熱収縮性シート５１，５１の側端部）を重ね合わせ、該重ね合わせ部分を接着剤などで接着（センターシール部３２）することによって筒状に形成されている。熱収縮性筒状ラベル３は、通常、一対の折り目３３に於いて扁平状に折り畳んだ状態で供給され、容器２に外嵌する際に開口される。
【００１９】
該熱収縮性筒状ラベル３は、凹凸部４を含む胴部２３の一部に装着可能な長さのものが用いられる。
この熱収縮性筒状ラベル３は、図２に示すように、非収縮性シート５２の、容器２の凹凸部４に対応する部分に、該凹凸部４の形状に沿った凹凸成形部３１が形成されている。この凹凸成形部３１を容器２の凹凸部４に対面するように位置させて、熱収縮性筒状ラベル３を容器胴部２３に外嵌し、熱収縮性シート５１を周方向に熱収縮させることによって、熱収縮性筒状ラベル３が装着されている。
よって、熱収縮性筒状ラベル３は、その非収縮性シート５２の凹凸成形部３１が容器２の凹凸部４に嵌合していると共に、熱収縮性シート５１が熱収縮により容器２の胴部２３外面に密着している。従って、該熱収縮性筒状ラベル３は、容器２から外れることはない。
なお、非収縮性シート５２の凹凸成形部３１は、凹凸部４の外面形状に概ね適合する形状に形成されており、例えば、非収縮性シート５２の凹凸成形部３１の内面が、凹凸部４の外面とほぼ接するように形成されている他、凹凸成形部３１の内面が、凹凸部４の外面と部分的に離れている状態を含む意味である。
【００２０】
熱収縮性シート５１は、熱収縮温度で少なくとも幅方向（筒状に形成した際に於ける周方向。以下同じ）に熱収縮可能なものであればその材質は特に限定されず、例えば、ポリエチレンテレフタレートなどのポリエステル系、ポリプロピレンなどのオレフィン系、ポリスチレン、スチレン−ブタジエン共重合体などのポリスチレン系、環状オレフィン系、ポリ塩化ビニルなどのハロゲン化ビニル系、ポリ乳酸系などの各種熱可塑性樹脂からから選ばれる１種、又は２種以上の混合物などからなる合成樹脂製シートなどを用いることができる。また、熱収縮性を有する２種以上の樹脂が積層された積層シートを用いることもできる。さらに、熱収縮性を有するシートに発泡樹脂シート等の断熱層やその他の機能層が積層された公知の積層シートを用いることもできる。熱収縮性シート５１は、熱収縮性に優れ且つ強度的にも優れていることから、ポリエチレンテレフタレートなどのポリエステル系シートを含むものを用いることが好ましい。
ここで、熱収縮温度とは、従来公知の熱収縮性筒状ラベルと同様に、該筒状ラベルを熱収縮させる際の温度をいい、一般的に７０℃〜１００℃である。
【００２１】
熱収縮性シート５１は、公知の製法で製膜し延伸処理することにより得ることができる。延伸処理は、通常、７０〜１１０℃程度の温度で、幅方向に２．０〜８．０倍、好ましくは３．０〜７．０倍程度で主延伸することにより行われる。さらに、縦方向（筒状に形成した際に於ける縦方向。以下同じ）にも、例えば１．５倍以下の低倍率で延伸処理を行ってもよい。得られたシートは、一軸延伸シート又は主延伸方向と直交する方向に若干延伸された二軸延伸シートとなる。熱収縮性シート５１の厚みは、特に限定されないが、通常、２０μｍ〜８０μｍ程度のものが用いられる。
【００２２】
熱収縮性シート５１の熱収縮率としては、熱収縮により容器に密着可能な程度であれば特に限定されないが、通常、幅方向に於ける熱収縮率（９０℃温水中に１０秒間浸漬）は約４０％以上、好ましくは約５０％以上のものが例示される。また、熱収縮性シート５１は縦方向に若干熱収縮してもよく、かかる縦方向に於ける熱収縮率（９０℃温水中に１０秒間浸漬）は、約−３〜１５％程度のものが例示される。
但し、熱収縮率（％）＝［｛（幅方向（又は縦方向）の元の長さ）−（幅方向（又は縦方向）の浸漬後の長さ）｝／（幅方向（又は縦方向）の元の長さ）］×１００。
【００２３】
一方、非収縮性シート５２は、上記熱収縮温度で実質的に熱収縮しないシートであって、圧空成形法などのシート成形法によって成形可能なシートであればその材質は特に限定されない。
ここで、熱収縮温度で実質的に熱収縮しないシートとは、シート材の幅方向及び縦方向に於ける熱収縮率が５％以下、好ましくは３％以下のものが該当する。ただし、熱収縮率は、上記熱収縮性シート５１で示したものと同じ条件で測定したものをいう。
また、シート成形法によって成形可能なシートとは、成形温度で軟化しうるシートをいう。該成形温度は、例えば、７０℃〜１８０℃、好ましくは７０℃〜１５０℃である。具体的な成形温度は、非収縮性シート５２の材質により異なるが、例えば、非収縮性シートとして、Ａ−ＰＥＴシート（非晶質ポリエチレンテレフタレートシート）を用いる場合には、成形温度は、７０℃〜９０℃程度であり、ＯＰＳシート（２軸延伸ポリスチレンシート）を用いる場合には、９０℃〜１１０℃程度である。
【００２４】
非収縮性シート５２の材質としては、例えば、ポリプロピレン、高密度ポリエチレン、中密度ポリエチレン、エチレン−環状オレフィン共重合体などのポリオレフィン系、ポリエチレンテレフタレートなどのポリエステル系、ポリ塩化ビニルなどのハロゲン化ビニル系、６，６ナイロンなどのポリアミド系、ポリスチレン系、アイオノマー樹脂などの各種熱可塑性樹脂からから選ばれる１種、又は２種以上の混合物などからなる合成樹脂製シートなどを用いることができる。非収縮性シート５２は、熱収縮性シート５１と接着性に優れていることから、熱収縮性シート５１と同種の素材（例えば、ポリエチレンテレフタレートなどのポリエステル系シート）を含むものを用いることが好ましい。
該非収縮性シート５２の厚みは、シート成形時に破損しない程度の厚みであれば特に限定されず、例えば、５０μｍ〜３００μｍが好ましく、１００μｍ〜３００μｍがより好ましい。
【００２５】
尚、熱収縮性シート５１及び／又は非収縮性シート５２の裏面（又は表面）には、例えば商品名、商標、絵柄デザインなどの公知の意匠印刷がグラビア印刷などによって単色又は多色刷りにて印刷されている（該意匠印刷は図示しない）。該意匠印刷が、シートの裏面に施される場合には、シートは透明なものが用いられる。
また、熱収縮性シート５１の面内に、縦方向に分断用のミシン目などの公知の開封手段を適宜設けても良い。また、該分断用のミシン目は、周方向に設けてもよく、又、縦方向及び周方向の双方に設けてもよい。
【００２６】
上記構成のラベル付き容器１は、容器２の凹凸部４の形状に沿った凹凸成形部３が形成された非収縮性シート５２が、凹凸部４に対応して装着されているので、熱収縮性筒状ラベル３が装着された状態で、容器２の凹凸部４の形状が外部に現れる。
非収縮性シート５２は、熱収縮温度で実質的に熱収縮せず、且つ成形によって凹凸成形部３１が形成されているので、比較的深い凹凸部４の形状に沿わせることができる上、その形状が経時的に変化し難い。
【００２７】
＜ラベル付き容器の変形例＞
上記ラベル付き容器１は、２枚の非収縮性シート５２を有するラベル基材５を筒状に形成した熱収縮性筒状ラベル３が用いられているが、これに限定されず、様々な態様に変更することができる。
例えば、図７（ａ）に示すように、熱収縮性筒状ラベル３は、１枚の熱収縮性シート５１の側部に１枚の非収縮性シート５２が接着されたラベル基材５を、筒状に形成した筒状体から構成されていてもよい。
また、同図（ｂ）に示すように、熱収縮性筒状ラベル３は、２枚の熱収縮性シート５１，５１の間にそれぞれ非収縮性シート５２，５２が設けられたラベル基材５を、筒状に形成した筒状体から構成されていてもよい。この変形例の場合、上記実施形態のような熱収縮性シート５１，５１の側端部を重ね合わせて接着したセンターシール部３２は形成されておらず、熱収縮性シート５１の両側部に、非収縮性シート５２の両側部がそれぞれ接着されて筒状に形成されている。
さらに、上記実施形態では、熱収縮性シート５１の側部内面に非収縮性シート５２の側部外面が接着されているが、同図（ｃ）に示すように、熱収縮性シート５１の外面に非収縮性シート５２の内面が接着されていてもよい。
また、上記実施形態では、熱収縮性筒状ラベル３は、扁平状に折り畳む際、非収縮性シート５２，５２が重なるように折り目３３が形成されているが、例えば、同図（ｄ）に示すように、扁平状に折り畳む際に、非収縮性シート５２，５２がほぼ重ならないような位置に折り目３３が形成されていてもよい。このように非収縮性シート５２が重ならないように折り畳み可能な熱収縮性筒状ラベル３は、扁平状にした際に、該扁平体の全体厚みを比較的薄く形成できる。
さらに、上記実施形態では、折り目３３は、熱収縮性シート５１の面内に形成されているが、非収縮性シート５２の面内に折り目３３に形成することもできる。もっとも、非収縮性シート５２が熱収縮性シート５１に比して比較的厚いものが用いられる場合には、折り目３３は、熱収縮性シート５１に形成されていることが好ましい。
また、熱収縮性筒状ラベル３は、３枚以上の非収縮性シート５２を有するラベル基材５を筒状に形成してもよい。
【００２８】
次に、上記ラベル付き容器１の製造方法の各例について説明する。
＜製造方法１＞
［前工程］
前工程は、熱収縮性筒状ラベル３が連続的に繋がった長尺筒状体を作製する工程である。
長尺状の熱収縮性シート原反と、長尺状の非収縮性シート原反と、を準備する。両原反は、通常、ロール状に巻かれて供給される。各原反ロールからそれぞれの原反を引き出し、長手方向に沿って裁断する。裁断することにより、図８に示すように、３条の所定幅の熱収縮性シート原反９１，…と２条の所定幅の非収縮性シート原反９２，９２とを作製する。
この第１列目の熱収縮性シート原反９１１と第２列目の熱収縮性シート原反９１２の間に、第１列目の非収縮性シート原反９２１を介在させ、且つ第２列目の熱収縮性シート原反９１２と第３列目の熱収縮性シート原反９１３の間に、第２列目の非収縮性シート原反９２２を介在させ、各原反の側部を重ね合わせて長手方向に沿って接着する。
このようにしてラベル基材５が連続的に繋がった長尺基材９を作製できる。
該長尺基材９は、必要に応じて、一旦ロール状に巻き取られる。
ただし、熱収縮性シート原反９１と非収縮性シート原反９２の幅や条数は、形成する熱収縮性筒状ラベル３の態様に応じて適宜選択されるものである。例えば、図７（ａ）に示すような熱収縮性筒状ラベル３を形成する場合には、１条の熱収縮性シート原反９１と１条の非収縮性シート原反９２が用いられ、該熱収縮性シート原反９１の一側に非収縮性シート原反９２を接着して長尺基材９が作製される。
【００２９】
次に、図９に示すように、この長尺基材９の一側端部９ａを他側端部９ｂに重ね合わせるようにして、長尺基材９を筒状に形成しつつ、該一側端部９ａと他側端部９ｂを長手方向に接着してセンターシール部３２を形成する。
このようにして熱収縮性筒状ラベル３が連続的に繋がった長尺筒状体１０を作製できる。
該長尺筒状体１０は、通常、熱収縮性シート原反９１に於いて（ただし、センターシール部３１が形成されている部分を除く）折り目３３が位置するように、扁平状に折り畳まれた後、ロール状に巻き取られる。
【００３０】
［工程（１Ａ）］
工程（１Ａ）は、長尺筒状体１０を所定長さに裁断して、１個の熱収縮性筒状ラベル３を得る工程である。
図１０（i）に示すように、上記前工程で作製された長尺筒状体１０のロール１１は、ラベラーに装填され、長尺筒状体１０が引き出される。該長尺筒状体１０は、ラベラーに具備されたギロチンカッターなどのカッター装置７１によって、所定長さに裁断される。
かかる裁断により、扁平状に折り畳まれた１個の熱収縮性筒状ラベル３が得られる。
【００３１】
［工程（１Ｂ）］
工程（１Ｂ）は、前記熱収縮性筒状ラベル３を容器に装着する前に、凹凸成形部３１を形成する工程である。
工程（１Ａ）で得られた熱収縮性筒状ラベル３を、同図（ii）に示すように、インナーガイド７２に通過させることによって開口させる。
なお、工程（１Ｂ）を行った後、上記工程（１Ａ）を行うこともできる。すなわち、長尺筒状体１０をインナーガイド７２に通過させて開口させた後、カッター装置７１を用いて、これを所定長さに裁断し、開口状態の熱収縮性筒状ラベル３を得ることもできる。この場合、カッター装置としては、例えば、開口させた長尺筒状体１０の内側から裁断するロータリーカッターや、開口させた長尺筒状体１０の外側から裁断するサークルカッターが用いられる。
【００３２】
開口された熱収縮性筒状ラベル３は、加熱ゾーンに送られる（同図（iii））。
加熱ゾーンには、加熱装置７３（例えば、電熱ヒータ等）が、熱収縮性筒状ラベル３の非収縮性シート５２に対向して配設されている。この加熱装置７３は、非収縮性シート５２のみを上記成形温度に加熱できるように構成されている。従って、該加熱装置７３による加熱の際、熱収縮性筒状ラベル３のうち熱収縮性シート５１が、実質的に熱収縮することを防止している。
そして、上記加熱装置７３によって、開口させた熱収縮性筒状ラベル３のうち、非収縮性シート５２の部分のみを成形温度に加熱する。これにより、非収縮性シート５２が軟化する。
【００３３】
該熱収縮性筒状ラベル３は、成形ゾーンに送られる（同図(iv））。
成形ゾーンには、熱収縮性筒状ラベル３の内側であって、その非収縮性シート５２に対向して配設された成形型７４と、熱収縮性筒状ラベル３の外側であって、前記成形型７４に対向して配設された圧空ボックス７５と、が設けられている。成形型７４には、装着する容器２の凹凸部４の形状を転写した凹凸面が形成されている。また、圧空ボックス７５には、空気の圧送路が形成されており、該圧空ボックス７５は、成形型７４に対して出退自在とされている。
非収縮性シート５２が軟化した熱収縮性筒状ラベル３を、成形ゾーンに於いて、その非収縮性シート５２の裏面の所定位置に成形型７４が対向するように位置決めする。次に、非収縮性シート５２の外面から圧空ボックス７５を進出させ、成形型７４と圧空ボックス７５によって非収縮性シート５２を挟み、圧空ボックス７５から空気を圧入する。
該空気によって、軟化した非収縮性シート５２は、成形型７４の凹凸面に密着し、該シート５２に凹凸形状が転写され、非収縮性シート５２に凹凸成形部３１が形成される。
その後、強制冷却又は自然放熱によって、非収縮性シート５２凹凸成形部３１の形状が固定化される。
なお、非収縮性シート５２の成形方法は、上記のような圧空成形に限られず、他のシート成形法を用いることもできる。例えば、真空成形法、プレス成形法などで非収縮性シート５２を成形してもよい。これらのシート成形法に於いても、容器の凹凸部４の形状に対応した成形型を用いて、非収縮性シート５２が成形される。
【００３４】
［工程（１Ｃ）］
工程（１Ｃ）は、凹凸成形部の形成された熱収縮性筒状ラベル３を容器に熱収縮装着する工程である。
工程（１Ｂ）を経た熱収縮性筒状ラベル３を、凹凸成形部３１が容器２の凹凸部４に合致するように位置決めしつつ、容器２の胴部に外嵌する（同図（v））。
外嵌した熱収縮性筒状ラベル３を、上記熱収縮温度に加熱する。この加熱方式は、特に限定されず、スチーム、温風など任意である。
かかる加熱により、熱収縮性筒状ラベル３のうち熱収縮性シートが周方向に熱収縮し、容器２の胴部２３に密着する。
以上の工程を経て、同図（vi）に示すように、非収縮性シート５２が容器２の凹凸部４に嵌合した状態で熱収縮性筒状ラベル３が熱収縮装着されたラベル付き容器１を作製できる。
【００３５】
＜製造方法２＞
［前工程］
前工程は、熱収縮性筒状ラベル３が連続的に繋がった長尺筒状体１０を作製する工程であり、上記製造方法１と同様であるので、省略する。
【００３６】
［工程（２Ａ）］
工程（２Ａ）は、長尺筒状体１０の非収縮性シート原反９２の長手方向に、所定間隔を開けて凹凸成形部３１を形成する工程である。
図１１（i）に示すように、上記前工程で作製された長尺筒状体１０のロール１１は、ラベラーに装填され、長尺筒状体１０が引き出される。該長尺筒状体１０を、同図（ii）に示すように、インナーガイド７２に通過させることによって開口させる。
【００３７】
開口された長尺筒状体１０は、加熱ゾーンに送られる（同図（iii））。
加熱ゾーンには、加熱装置７３が、長尺筒状体１０の非収縮性シート原反９２に対向して配設されている。この加熱装置７３は、非収縮性シート原反９２のみを上記成形温度に加熱できるように構成されている。従って、該加熱装置７３による加熱の際、長尺筒状体１０のうち熱収縮性シート原反９１が、実質的に熱収縮することを防止している。
そして、上記加熱装置７３によって、開口させた長尺筒状体１０のうち、非収縮性シート原反９２の部分のみを成形温度に加熱する。これにより、非収縮性シート原反９２が軟化する。
【００３８】
該長尺筒状体１０は、成形ゾーンに送られる（同図(iv））。
成形ゾーンには、長尺筒状体１０の内側であって、その非収縮性シート原反９２に対向して配設された成形型７４と、長尺筒状体１０の外側であって、前記成形型７４に対向して配設された圧空ボックス７５と、が設けられている。成形型７４には、装着する容器２の凹凸部４の形状を転写した凹凸面が形成されている。また、圧空ボックス７５には、空気の圧送路が形成されており、該圧空ボックス７５は、成形型７４に対して出退自在とされている。
非収縮性シート原反９２が軟化した長尺筒状体１０を、成形ゾーンに於いて、その非収縮性シート原反９２の裏面の所定位置に成形型７４が対向するように位置決めする。次に、非収縮性シート原反９２の外面から圧空ボックス７５を進出させ、成形型７４と圧空ボックス７５によって非収縮性シート５２を挟み、圧空ボックス７５から空気を圧入する。
該空気によって、軟化した非収縮性シート原反９２は、成形型７４の凹凸面に密着し、該シート原反９２に凹凸形状が転写され、非収縮性シート原反９２に凹凸成形部３１が形成される。この成形を長尺筒状体１０の長手方向に連続的に行うことにより、非収縮性シート原反９２の長手方向に所定間隔を開けて凹凸成形部３１が形成されていく。
その後、強制冷却又は自然放熱によって、非収縮性シート５２凹凸成形部３１の形状が固定化される。
なお、非収縮性シート５２の成形方法は、圧空成形に限られず、上記製造方法１と同様に、他のシート成形法を用いることもできる。
【００３９】
［工程（２Ｂ）］
工程（２Ｂ）は、長尺筒状体１０を所定長さに裁断して、１個の熱収縮性筒状ラベル３を得る工程である。
同図（v）に示すように、上記工程（２Ａ）で凹凸成形部３１が形成された長尺筒状体１０を、再度、扁平状に戻した後、該長尺筒状体１０を、カッター装置７１によって、所定長さに裁断する。
かかる裁断により、扁平状に折り畳まれた１個の熱収縮性筒状ラベル３が得られる。
なお、工程（２Ｂ）に於いて、上記長尺筒状体１０を扁平状にせずに、裁断することもできる。すなわち、上記工程（２Ａ）に於いて、開口状態の長尺筒状体１０を、その状態のままで、ロータリーカッター又はサークルカッターを用いて所定長さに裁断し、開口状態の熱収縮性筒状ラベル３を得ることもできる。この場合には、同図（v）及び(vi）で示す扁平形成用ローラやインナーガイドを省略できるので好ましい。
【００４０】
［工程（２Ｃ）］
工程（２Ｃ）は、凹凸成形部３１の形成された熱収縮性筒状ラベル３を容器に熱収縮装着する工程である。
工程（２Ｂ）で得られた扁平状の熱収縮性筒状ラベル３を、該長尺筒状体１０を、同図（vi）に示すように、インナーガイド７２に通過させることによって開口させる。
【００４１】
開口させた熱収縮性筒状ラベル３を、凹凸成形部３１が容器２の凹凸部４に合致するように位置決めしつつ、容器２の胴部に外嵌する（同図（vii））。
外嵌した熱収縮性筒状ラベル３を、上記熱収縮温度に加熱する。この加熱方式は、特に限定されず、スチーム、温風など任意である。
かかる加熱により、熱収縮性筒状ラベル３のうち熱収縮性シートが周方向に熱収縮し、容器２の胴部２３に密着する。
以上の工程を経て、同図（viii）に示すように、非収縮性シート５２が容器２の凹凸部４に嵌合した状態で熱収縮性筒状ラベル３が熱収縮装着されたラベル付き容器１を作製できる。
【００４２】
＜製造方法３＞
［前工程］
前工程は、熱収縮性筒状ラベル３が連続的に繋がった長尺筒状体１０を作製する工程であり、上記製造方法１と同様であるので、省略する。
【００４３】
［工程（３Ａ）］
工程（３Ａ）は、長尺筒状体１０を所定長さに裁断して、１個の熱収縮性筒状ラベル３を得る工程である。
図１２（i）に示すように、上記前工程で作製された長尺筒状体１０のロール１１は、ラベラーに装填され、長尺筒状体１０が引き出される。該長尺筒状体１０を、カッター装置７１によって、所定長さに裁断する。
かかる裁断により、扁平状に折り畳まれた１個の熱収縮性筒状ラベル３が得られる。
なお、工程（３Ａ）に於いて、長尺筒状体１０をインナーガイド７２に通過させて開口させた後、カッター装置７１を用いて、これを所定長さに裁断し、開口状態の熱収縮性筒状ラベル３を得ることもできる。この点は、上記製造方法１などと同様に、適宜変更できる。
【００４４】
［工程（３Ｂ）］
工程（３Ｂ）は、前記熱収縮性筒状ラベル３を容器に熱収縮装着する工程である。
工程（３Ａ）で得られた熱収縮性筒状ラベル３を、同図（ii）に示すように、インナーガイド７２に通過させることによって開口させる。なお、該インナーガイド７２による開口は、上記変形例の如く、工程（３Ａ）で開口状態の熱収縮性筒状ラベル３を形成した場合には、省略される。
【００４５】
開口させた熱収縮性筒状ラベル３を、非収縮性シート５２の略中央部が容器２の凹凸部４に対面するように位置決めしつつ、容器２の胴部に外嵌する（同図（iii））。
外嵌した熱収縮性筒状ラベル３を、上記熱収縮温度に加熱する。この加熱方式は、特に限定されず、スチーム、温風など任意である。
かかる加熱により、熱収縮性筒状ラベル３のうち熱収縮性シートが周方向に熱収縮し、容器２の胴部に密着する（同図（iv））。
【００４６】
［工程３Ｃ］
工程（３Ｃ）は、熱収縮装着された熱収縮性筒状ラベル３の非収縮性シート５２に、凹凸成形部３１を形成する工程できる。
工程（３Ｂ）で得られたラベル付き容器１は、加熱ゾーンに送られる（同図（iv））。
加熱ゾーンには、加熱装置７３が、容器２の凹凸部４に対面するように対向して配設されている。この加熱装置７３は、容器２の凹凸部４に対応した非収縮性シート５２のみを上記成形温度に加熱できるように構成されている。
そして、ラベル付き容器１を、その非収縮性シート５２（容器２の凹凸部４）が加熱装置７３に対面するように位置決めし、加熱装置７３によって、非収縮性シート５２の部分のみを成形温度に加熱する。これにより、非収縮性シート５２が軟化する。
なお、工程（３Ｃ）に於いて、非収縮性シート５２を加熱するための加熱装置７３が別個設けられていることが好ましい。もっとも、非収縮性シート５２の成形温度と上記工程（３Ｂ）に於ける熱収縮温度が同じ範囲である場合には、例えば、上記工程（３Ｂ）に於ける加熱によって、非収縮性シート５２を軟化させることもできる（この場合には、工程（３Ｃ）に於ける加熱は省略できる）。
【００４７】
次に、ラベル付き容器１は、成形ゾーンに送られる（同図(v））。
成形ゾーンには、非収縮性シート５２の外側であって、容器２の凹凸部４に対向して配設された成形型７６が設けられている。この成形型７６には、容器２の凹凸部４の形状を転写した凹凸面が形成されており、該成形型７６は、容器２に対して出退自在とされている。
そして、非収縮性シート５２が軟化したラベル付き容器１を、成形ゾーンに於いて、その容器２の凹凸部４に成形型７６が対向するように位置決めする。次に、非収縮性シート５２の外面から成形型７６を進出させ、非収縮性シート７６を容器２の凹凸部４へと押圧する。
該押圧によって、軟化した非収縮性シート５２は、凹凸部４に密着し、該凹凸部４の凹凸形状が転写され、非収縮性シート５２に凹凸成形部３１が形成される。
その後、強制冷却又は自然放熱によって、非収縮性シート５２凹凸成形部３１の形状が固定化される。
なお、工程（３Ｃ）に於ける非収縮性シート５２の押圧は、上記工程（３Ｂ）に於ける熱収縮性筒状ラベル３の熱収縮と、ほぼ同時的に行うことも可能である。
【００４８】
以上の工程を経て、同図（vi）に示すように、非収縮性シート５２の凹凸成形部３１が容器２の凹凸部４に嵌合した状態で熱収縮性筒状ラベル３が熱収縮装着されたラベル付き容器１を作製できる。
【００４９】
上記各製造方法によれば、熱収縮性筒状ラベル３を介して容器２の凹凸部４の形状が現れたラベル付き容器１を作製することができる。
また、上記各製造方法によれば、熱収縮性筒状ラベル３は長尺筒状体１０の態様でラベラーに装填できるので、非収縮性シートを成形する装置類を既存のラベラーに付加することによって、ラベル付き容器１を作製することができる。
特に、上記製造方法１及び２は、非収縮性シート５２に、容器２の凹凸部４の形状に適合した凹凸成形部３１を形成できるので、より好ましい製法である。
【図面の簡単な説明】
【００５０】
【図１】本発明のラベル付き容器の一実施形態を示す正面図。
【図２】図１のI−I線断面図。
【図３】（ａ）は、容器の一実施形態を示す正面図、（ｂ）は、同（ａ）のII−II線断面図。
【図４】（ａ）及び（ｂ）は、容器の凹凸部の他の実施形態を示す一部省略断面図。
【図５】熱収縮性筒状ラベルの一実施形態を示す断面図。ただし、熱収縮性筒状ラベルを扁平状に折り畳んだ状態で示している（図７も同じ）。
【図６】ラベル基材の一実施形態を示す平面図。ただし、分かり易く図示するために、便宜上、非収縮シートを薄墨塗りで示している。
【図７】熱収縮性筒状ラベルの他の実施形態を示す断面図。
【図８】長尺基材の作製手順を示す一部省略参考斜視図。
【図９】長尺筒状体の作製手順を示す一部省略参考斜視図。
【図１０】本発明のラベル付き容器の製造方法の一実施形態に於ける各工程を示す概略図。
【図１１】ラベル付き容器の製造方法の他の実施形態に於ける各工程を示す概略図。
【図１２】ラベル付き容器の製造方法の他の実施形態に於ける各工程を示す概略図。
【図１３】従来のラベル付き容器を示し、（ａ）は、その正面図、（ｂ）は、同III−III線断面図。
【符号の説明】
【００５１】
１…ラベル付き容器、２…容器、２３…容器の胴部、３…熱収縮性筒状ラベル、３１…凹凸成形部、４…容器の凹凸部、５…ラベル基材、５１…熱収縮性シート、５２…非収縮性シート、７１…カッター装置、７２…インナーガイド、７３…加熱装置、７４，７６…成形型、９…長尺基材、９１…熱収縮性シート原反、９２…非収縮性シート原反、１０…長尺筒状体
【図１】
2008213863.tif 000003
【図２】
2008213863.tif 000004
【図３】
2008213863.tif 000005
【図４】
2008213863.tif 000006
【図５】
2008213863.tif 000007
【図６】
2008213863.tif 000008
【図７】
2008213863.tif 000009
【図８】
2008213863.tif 000010
【図９】
2008213863.tif 000011
【図１０】
2008213863.tif 000012
【図１１】
2008213863.tif 000013
【図１２】
2008213863.tif 000014
【図１３】
2008213863.tif 000015